(57)【特許請求の範囲】
【請求項１】
２本の桁材間に湾曲した垂木を複数取付け、該垂木間にパネルを配設してなる２つの屋根体を直交配置し連結してなる組立屋根において、
前記屋根体の連結部分における内側角部と外側角部の直交する屋根体の各桁材間にそれぞれ同じ長さの短尺で直線状の連結桁材を取付け、前記内側角部側の連結桁材から外側角部側の連結桁材にかけて対角状に２本の対角垂木を平行に取付けてなり、該対角垂木は前記垂木と同断面形状からなり、前記対角垂木と連結桁材に囲まれた領域には方形状のパネルが配設されることを特徴とする組立屋根。
【請求項２】
前記２つの屋根体は連結屋根体を介して連続状とされ、該連結屋根体は前記２つの屋根体の各桁材とそれぞれ連続状となる内外桁材を有すると共に、角部には前記対角垂木を有してなることを特徴とする請求項１記載の組立屋根。
【発明の詳細な説明】
【技術分野】
【０００１】
本発明は、渡り廊下等を構成する組立屋根に関し、特に直角に屈曲するように設けられる組立屋根に関する。
【背景技術】
【０００２】
従来から、渡り廊下等の簡易建築物の屋根として組立屋根が用いられている。組立屋根は、２本の桁材間にそれらをまたぐように垂木を複数取付け、各垂木間にアクリル板等のパネルを配設して構成されるものである。
【０００３】
このような組立屋根は、コーナー部において直角に屈曲するように設けられる場合がある。この場合、２つの屋根体が直交配置され、連結部には内側角部である入隅から外側角部である出隅にかけて対角垂木が対角状に設けられる。このような組立屋根としては、例えば特許文献１に挙げるようなものがある。
【特許文献１】特開平９−８８１８３号公報
【発明の開示】
【発明が解決しようとする課題】
【０００４】
しかし、直角に屈曲する組立屋根において、コーナー部に設けられる対角垂木は他の垂木に比べて強度が必要であるため、他の垂木より太くしたり、形状の異なるものを用いたりしていた。このため、対角垂木を専用の部品として形成する必要があって、コストアップにつながっていた。また、コーナー部では桁材の連結部分に対角垂木を傾斜状に連結しなければならないため、施工性の悪いものであった。
【０００５】
本発明は、上記課題を解決すべくなされたものであり、通常の組立屋根と部品を共用化しつつ、施工性もよい直交するコーナー部を有した組立屋根を提供することを目的とする。
【課題を解決するための手段】
【０００６】
上記課題を解決するため、本発明に係る組立屋根は、２本の桁材間に湾曲した垂木を複数取付け、該垂木間にパネルを配設してなる２つの屋根体を直交配置し連結してなる組立屋根において、
前記屋根体の連結部分における内側角部と外側角部の直交する屋根体の各桁材間にそれぞれ短尺で直線状の連結桁材を取付け、前記内側角部側の連結桁材から外側角部側の連結桁材にかけて対角状に２本の対角垂木を平行に取付けてなり、該対角垂木は前記垂木と同断面形状からなり、前記対角垂木と連結桁材に囲まれた領域には方形状のパネルが配設されることを特徴として構成されている。
【０００９】
さらにまた、本発明に係る組立屋根は、前記２つの屋根体は連結屋根体を介して連続状とされ、該連結屋根体は前記２つの屋根体の各桁材とそれぞれ連続状となる内外桁材を有すると共に、角部には前記対角垂木を有してなることを特徴として構成されている。
【発明の効果】
【００１０】
本発明に係る組立屋根によれば、屋根体の連結部分における内側角部の桁材から外側角部の桁材にかけて対角状に２本の対角垂木を平行に取付け、対角垂木は垂木と同断面形状からなることにより、通常の屋根体に用いられる垂木を直角の角部において用いることができるため、角部のために専用の部品を用意する必要がなく、部品の共用化を図ることができる。
【００１１】
また、本発明に係る組立屋根によれば、内側角部と外側角部の直交する屋根体の各桁材間にそれぞれ短尺の連結桁材を取付け、対角垂木は連結桁材に固定されることにより、角部における対角垂木の連結を通常の桁材に対する連結と同様にすることができるので、施工性を高めることができる。
【００１２】
さらに、本発明に係る組立屋根によれば、対角垂木間にはパネルが配設されることにより、角部において連続的に屋根をパネルにより覆うことができる。
【００１３】
さらにまた、本発明に係る組立屋根によれば、２つの屋根体は連結屋根体を介して連続状とされ、連結屋根体は２つの屋根体の各桁材とそれぞれ連続状となる内外桁材を有すると共に、角部には対角垂木を有してなることにより、通常の屋根体と連結屋根体を組み合わせることにより、容易に直角に屈曲した組立屋根を構成することができる。
【発明を実施するための最良の形態】
【００１４】
本発明の実施形態について図面に沿って詳細に説明する。本実施形態では、本発明を適用した組立屋根を用いた渡り廊下屋根について説明する。図１には、本実施形態における組立屋根を用いた渡り廊下屋根の正面図を、図２には、渡り廊下屋根の側面図を、それぞれ示している。これら各図に示すように、本実施形態における渡り廊下屋根は、直角に屈曲させたコーナー部を有する組立屋根１を、左右両側に立設される支柱２によって支持してなるものである。
【００１５】
組立屋根１は、互いに直交する方向に配置された２つの屋根体３０、３０をコーナー部に設けられる連結屋根体３１によって連続状としたものである。屋根体３０は、支柱２に対して固定される桁材１０を左右２本有し、２本の桁材１０間に湾曲した垂木１１を複数懸架すると共に、各垂木１１間にアクリル板からなるパネル１２を設けて中央部を頂点に湾曲した平面状に構成してなるものである。また、垂木１１と直交するように中骨１１ｃが設けられる。
【００１６】
図３には、屋根体３０における垂木１１とパネル１２の断面図を示している。垂木１１は、断面中空状に形成されており、上面には取付部１１ａが形成されている。取付部１１ａに対しては垂木１１の上面を覆うような形状に形成された押さえ材１３がネジ止め固定される。そして、垂木１１と押さえ材１３によってパネル１２の周縁部の両面を挟持し、垂木１１間のパネル１２を固定する。
【００１７】
図２に示すように連結屋根体３１は、直交配置される２つの屋根体３０、３０の桁材１０、１０とそれぞれ連続状となる内桁材１５と外桁材１６を備え、屈曲するコーナー部には、内側角部から外側角部にかけて対角状となるように２本の対角垂木１８を平行に設けてある。対角垂木１８は、屋根体３０を構成する他の垂木１１と同じ断面形状を有してなる。また、対角垂木１８に対しては、連続する屋根体３０の垂木１１と平行となるように垂木１１が取付けられる。２本の対角垂木１８、１８間には、他の垂木１１間の場合と同様にパネル１２が設けられて、連結屋根体３１の角部がパネル１２により連続的に覆われるようにしている。
【００１８】
このように、連結屋根体３１においてコーナー部に桁材間を対角状に懸架する対角垂木１８を２本平行に設けたことにより、他の垂木１１と同じ部品を用いつつ、コーナー部における強度を充分に確保することができる。これによってコーナー部に専用の部品を用意する必要がなく、部品の共用化によるコストダウンを図ることができる。
【００１９】
また、連結屋根体３１のコーナー部には、直交する内桁材１５と外桁材１６を連結する連結桁材１７が設けられている。図２に示すように連結桁材１７は、直交する２本の内桁材１５、１５に対してそれぞれ１３５°の角度を有し、直交する２本の外桁材１６、１６に対してもそれぞれ１３５°の角度を有する。
【００２０】
図４には、連結屋根体３１の外側角部における桁材及び垂木の連結構造の平面図について示している。この図に示すように、外桁材１６と連結桁材１７は、各端面から中空内部に挿入される連結材１９によって１３５°の角度で連結される。また、２本の対角垂木１８、１８は、連結桁材１７の内側面に対して直交するように連結される。連結屋根体３１の内側角部も、対角垂木１８の連結位置が連結桁材１７の反対側となる点以外は、図４と同様の連結構造である。このように直交配置される桁材間に連結桁材１７を設けることによって、対角垂木１８を桁材に対しその連結部分をまたぐように角度をなして連結する必要がなく、また連結桁材１７に対して直交するように連結できるので、施工性のよい組立屋根とすることができる。
【００２１】
図５には、対角垂木１８と垂木１１との連結部分の平面図を示している。この図に示すように垂木１１は、対角垂木１８に対して垂木ブラケット４０を介して連結される。垂木ブラケット４０は、対角垂木連結部４１と垂木連結部４２とを備え、対角垂木連結部４１が対角垂木１８の側面に対してネジ止めされ、垂木連結部４２が垂木１１の中空内部に挿入されボルト４３によって垂木１１と固定される。
【００２２】
図６には、垂木１１と垂木ブラケット４０の分解斜視図を示している。垂木ブラケット４０の垂木連結部４２は、垂木ブラケット４０の本体に対しボルト４４によって取付角度を自在に設定できるように取付けられる。これによって、湾曲した形状の対角垂木１８に対して、垂木１１を適切な角度で取付けることができる。
【００２３】
また、垂木１１の端部近傍側面には長孔１１ｂが形成されており、垂木１１の垂木ブラケット４０に対する上下方向位置を調整できるようにされている。これによって、対角垂木１８と垂木１１の上面位置を合わせて、パネル１２を対角垂木１８と垂木１１上に確実に載置できるようにすることができる。垂木ブラケット４０と対角垂木１８及び垂木１１との継ぎ目部分には、シーリング材を設けて水の浸入を防止する。なお、垂木１１の内桁材１５または外桁材１６と連結される側については、固定ブラケット１１ｄが端面に設けられて、これを介して内桁材１５または外桁材１６の側面にネジ止め固定される。
【００２４】
この組立屋根１を有した渡り廊下は、以下のように組立てられる。まず、渡り廊下の設置場所に沿って支柱２を立設する。次に、支柱２の上部に屋根体３０の桁材１０と連結屋根体３１の内桁材１５、外桁材１６、及び連結桁材１７をそれぞれ連結しながら取付ける。屋根体３０に対しては垂木１１を桁材１０間に固定し、連結屋根体３１に対してはまず対角垂木１８を連結桁材１７に対して連結し、その上で対角垂木１８から外桁材１６にかけて設けられる垂木１１を連結する。
【００２５】
ここで、対角垂木１８から外桁材１６にかけて設けられる垂木１１は、外桁材１６側については端面に固定ブラケット１１ｄが設けられてネジ止め固定される。対角垂木１８側については、まず垂木１１の対角垂木１８に対する取付位置に応じて、垂木ブラケット４０の垂木連結部４２のブラケット本体に対する取付角度を設定し、ボルト４４を本締めすることで固定する。次に、垂木１１の端面に垂木ブラケット４０の垂木連結部４２が挿入され、ボルト４３によって仮止めがされる。その状態で垂木ブラケット４０の対角垂木連結部４１が対角垂木１８の側面に対してネジ止め固定され、対角垂木１８と垂木１１の上面が面一状となるように、長孔１１ｂを介して垂木１１の垂木ブラケット４０に対する上下方向位置を定める。最後にボルト４３を本締めすることで垂木１１と対角垂木１８が固定される。
【００２６】
その他の垂木１１は、両方の端面にそれぞれ固定ブラケット１１ｄを設けて各桁材１０に固定する。次に、垂木１１間にそれと直交するように中骨１１ｃを固定し、さらに各垂木１１間及び対角垂木１８間にそれぞれパネル１２を取付ける。これによって渡り廊下を完成させる。
【００２７】
以上、本発明の実施形態について示したが、本発明の適用は本実施形態には限られず、その技術的思想の範囲内において様々に適用されうるものである。例えば、組立屋根１の長さ及び幅については、本実施形態のものに限られず、どのようなものであってもよい。また、本実施形態では左右の支柱２によって両側から組立屋根１を支持するものを示したが、左右いずれか片方の支柱２によって片側から組立屋根１を支持するものであってもよい。
【図面の簡単な説明】
【００２８】
【図１】本実施形態における組立屋根を用いた渡り廊下屋根の正面図である。
【図２】本実施形態における組立屋根を用いた渡り廊下屋根の側面図である。
【図３】垂木とパネルの断面図である。
【図４】連結屋根体の外側角部における桁材及び垂木の連結構造を示した平面図である。
【図５】対角垂木と垂木との連結部分の平面図である。
【図６】垂木と垂木ブラケットの分解斜視図である。
【符号の説明】
【００２９】
１    組立屋根
２    支柱
１０    桁材
１１    垂木
１１ａ  取付部
１１ｂ  長孔
１１ｃ  中骨
１１ｄ  固定ブラケット
１２    パネル
１３    押さえ材
１５    内桁材
１６    外桁材
１７    連結桁材
１８    対角垂木
１９    連結材
３０    屋根体
３１    連結屋根体
【図１】
0004738202.tif 000002
【図２】
0004738202.tif 000003
【図３】
0004738202.tif 000004
【図４】
0004738202.tif 000005
【図５】
0004738202.tif 000006
【図６】
0004738202.tif 000007